(57)【要約】【課題】定期的にフィルターに付着した埃や塵を自動で取り除き掃除を行うとともにその動作を使用者に知らせる使い勝手の良い換気装置を提供することを目的としている。【解決手段】外気を室内に取り入れるファン３と、ファン３を回転駆動させるモーター４と、化粧枠５と換気口２の間に設けられたフィルター６と、換気口２からの空気の流れを開閉できるシャッター８を備え、定期的にシャッター８を開閉する振動でフィルター６の埃を落とすとともにモーター４を逆回転させ、外部に落ちた埃を自動で排出する使い勝手のよい換気装置が得られる。【選択図】図１
2008116158.tif 000002
【特許請求の範囲】
【請求項１】
外気を室内に取り入れる換気口と、前記換気口から外気を室内に取り入れるファンと、前記ファンを回転駆動させるモーターと、前記換気口から取り入れられた空気中の塵埃を捕集をするフィルターを備え、前記フィルターにより捕集された塵埃を前記フィルターから除去するフィルター再生手段を備えた換気装置。
【請求項２】
モーターの回転駆動を制御する制御部を備え、フィルター再生手段として、前記制御部により一定時間間隔で前記モータを逆回転させる請求項１記載の換気装置。
【請求項３】
モーターの運転時間をカウントする運転時間カウント部を設け、制御部は前記運転時間カウント部のカウント値が所定値以上となると前記モータを逆回転させる請求項２記載の換気装置。
【請求項４】
フィルターを振動させる振動部を設け、制御部はモータを逆回転させる前に前記振動部による前記フィルターの振動を１回あるいは複数回繰り返す請求項２または３に記載の換気装置。
【請求項５】
振動部によるフィルターの振動を制御部によるモーターの運転停止により行う請求項４記載の換気装置。
【請求項６】
フィルターと換気口の間に設けられ前記換気口からの空気の流れを開閉できるシャッターを設け、制御部による前記シャッターの開閉により前記フィルターを振動させる請求項４記載の換気装置。
【請求項７】
シャッターは、前記シャッターが開状態となったときにフィルターに前記シャッターの一部が当たるように、前記フィルターと前記換気口の間に設けられた請求項６記載の換気装置。
【請求項８】
シャッターの一部に前記シャッターが開状態となったときに前記フィルターにあたるように突起部分を設けた請求項６記載の換気装置。
【請求項９】
シャッターの下部に前記シャッターが閉じていても空気を流すことのできる開口部を設けた請求項４または６〜８のいずれかに記載の換気装置。
【請求項１０】
開口部に外気が室内に入る方向に空気が流れたときには閉状態となる弁を設けた請求項９記載の換気装置。
【請求項１１】
フィルターにより捕集された塵埃を前記フィルターから除去するフィルター再生時に、制御部はモーターの回転駆動方向を一定時間変えるとともに回転速度も変動させる請求項２〜９のいずれかに記載の換気装置。
【請求項１２】
制御部に時計機能を設け、所定の時間帯には振動部によるフィルターの振動またはフィルターの再生を行わない請求項２〜１１のいずれかに記載の換気装置。
【請求項１３】
表示部を設け、フィルターにより捕集された塵埃を前記フィルターから除去するフィルター再生時に、前記表示部に掃除運転表示を行う請求項１〜１２のいずれかに記載の換気装置。
【請求項１４】
発音部を設け、フィルターにより捕集された塵埃を前記フィルターから除去するフィルター再生時に、前記発音部を鳴動させるものとした請求項１〜１３のいずれかに記載の換気装置。
【請求項１５】
フィルターにより捕集された塵埃を前記フィルターから除去するフィルター再生運転を所定回数以上行ったさいには、表示部にフィルターお手入れ表示を行うものとした請求項１〜１４のいずれかに記載の換気装置。
【請求項１６】
フィルターにより捕集された塵埃を前記フィルターから除去するフィルター再生運転を所定回数以上行ったさいには、本体内に設けた発音部を鳴動させる請求項１〜１５のいずれかに記載の換気装置。
【発明の詳細な説明】
【技術分野】
【０００１】
本発明は、一般家庭で使用される外部からの空気を浄化するフィルターを搭載した換気装置に関するものである。
【背景技術】
【０００２】
近年、住宅の気密性の向上により常時換気することが望ましく、排気だけでなく給気に関しても安定した換気量を得るため機械的に浄化した空気を給気する換気装置の必要性が高まってきている。
【０００３】
従来、この種の換気装置としては、室内の壁面に取付けられる換気装置が知られている（例えば，特許文献１参照）。
【０００４】
以下、その換気装置ついて図７を参照しながら説明する。
【０００５】
図に示すように、家屋１０１の壁１０２に設けられた開口部１０３内にパイプ１０４を装着し、このパイプ１０４内に羽根車１０５と電動機１０６を有するフレーム１０７が弾性部材１０８を介して固定されている。そして、このフレーム１０７の羽根車１０５側にシャッター部１０９を内接したグリル１１０が装着されている。
【０００６】
また、この構成において屋外１１２から屋内１１３に給気される空気を浄化したいときには、グリル１１０とシャッター部１０９の間にフィルター１１４が設けられる。
【特許文献１】特開平５−９９４６６号公報
【発明の開示】
【発明が解決しようとする課題】
【０００７】
このような従来の換気装置では、屋外１１２からの空気に含まれている埃や塵はフィルター１１４で浄化され屋内１１３に給気されているため、長時間運転しているとフィルター１１４が目詰まりして給気量が低下するので定期的にフィルター１１４を掃除しなければいけないという課題があった。
【０００８】
本発明は、このような従来の課題を解決するものであり、定期的にフィルターに付着した埃や塵を自動で取り除き掃除を行い、フィルターの塵埃捕集性能の再生を行う使い勝手の良い換気装置を提供することを目的としている。
【０００９】
また、自動の掃除中、すなわちフィルターの塵埃捕集性能の再生中であることを使用者に知らせ、使用者が寝ている静かにしなければいけないときには自動での掃除、すなわちフィルターの塵埃捕集性能の再生を行わない使い勝手の良い換気装置を提供することを目的としている。
【課題を解決するための手段】
【００１０】
本発明の換気装置は上記目的を達成するために、外気を室内に取り入れる換気口と、前記換気口から外気を室内に取り入れるファンと、前記ファンを回転駆動させるモーターと、前記換気口から取り入れられた空気中の塵埃を捕集をするフィルターを備え、前記フィルターにより捕集された塵埃を前記フィルターから除去するフィルター再生手段を備えたものである。
【００１１】
また他の手段は、モーターの回転駆動を制御する制御部を備え、フィルター再生手段として、前記制御部により一定時間間隔で前記モータを逆回転させるものである。
【００１２】
また他の手段は、前記モーターの運転時間をカウントする運転時間カウント部を設け、前記制御部は前記運転時間カウント部のカウント値が所定値以上となると前記モータを逆回転させるものである。
【００１３】
また他の手段は、フィルターを振動させる振動部を設け、制御部はモータを逆回転させる前に前記振動部による前記フィルターの振動を１回あるいは複数回繰り返すものである。
【００１４】
また他の手段は、振動部によるフィルターの振動を制御部によるモーターの運転停止により行うものである。
【００１５】
また他の手段は、フィルターと換気口の間に設けられ前記換気口からの空気の流れを開閉できるシャッターを設け、制御部による前記シャッターの開閉により前記フィルターを振動させるものである。
【００１６】
また他の手段は、シャッターは、前記シャッターが開状態となったときにフィルターに前記シャッターの一部が当たるように、前記フィルターと前記換気口の間に設けられたものである。
【００１７】
また他の手段は、前記シャッターの一部に前記シャッターが開状態となったときに前記フィルターにあたるように突起部分を設けるようにしたものである。
【００１８】
また他の手段は、前記シャッターの下部に前記シャッターが閉じていても空気を流すことのできる開口部を設けるようにしたものである。
【００１９】
また他の手段は，前記開口部に外部の空気が室内に入る方向に空気が流れたときには閉状態となる弁を設けるようにしたものである。
【００２０】
また他の手段は、フィルターにより捕集された塵埃を前記フィルターから除去するフィルター再生時に、制御部はモーターの回転駆動方向を一定時間変えるとともに回転速度も変動させるようにしたものである。
【００２１】
これら手段により、フィルターに付着した埃や塵を振動で落し、制御部が室内空気を外部に出す方向にモーターを回転させることで落した埃や塵を屋外に出すことができるので、使用者がフィルターを外して掃除しなくても自動できれいにすることのできる使い勝手の良い換気装置が得られる。
【００２２】
また他の手段は、前記制御部に時計機能を設け、所定の時間帯には前記振動部の振動や前記掃除運転を行わないようにしたものである。
【００２３】
この手段により、使用者が寝ている夜の時間帯など、所定の時間帯には自動での掃除を行わないので、自動での掃除による騒音で使用者の睡眠を邪魔しない使い勝手の良い換気装置を提供できる。
【００２４】
また他の手段は、フィルターにより捕集された塵埃を前記フィルターから除去するフィルター再生時に、前記表示部に掃除運転表示を行うようにしたものである。
【００２５】
また他の手段は、前記本体内に発音部を設け、フィルターにより捕集された塵埃を前記フィルターから除去するフィルター再生時に、前記発音部を鳴動させるようにしたものである。
【００２６】
また他の手段は、フィルターにより捕集された塵埃を前記フィルターから除去するフィルター再生運転を所定回数以上行ったさいには、前記表示部に前記フィルターお手入れ表示を行うようにしたものである。
【００２７】
また他の手段は、フィルターにより捕集された塵埃を前記フィルターから除去するフィルター再生を所定回数以上行ったさいには、前記本体内に設けた前記発音部を鳴動させるようにしたものである。
【００２８】
これら手段により、自動の掃除中であることを使用者に知らせることができるので、換気装置から音がしている理由がわかり、使用者に不快感を与えない使い勝手の良い換気装置を提供できる。
【発明の効果】
【００２９】
本発明によれば，定期的に自動でフィルターが掃除、フィルターの塵埃捕集性能の再生ができる使い勝手の良い換気装置を提供できる。
【００３０】
また、夜の使用者が寝ている時間帯には自動での掃除、すなわちフィルターの塵埃捕集性能の再生を行わないので、自動での掃除による騒音で使用者の睡眠が邪魔されないという効果のある換気装置を提供できる。
【００３１】
また、自動でのフィルター掃除中、フィルターの塵埃捕集性能を再生するフィルター再生中であることを使用者に知らせることができるので、換気装置から音がしている理由がわかり、使用者に不快感を与えないという効果のある換気装置を提供できる。
【発明を実施するための最良の形態】
【００３２】
本発明の請求項１記載の発明は、外気を室内に取り入れる換気口と、前記換気口から外気を室内に取り入れるファンと、前記ファンを回転駆動させるモーターと、前記換気口から取り入れられた空気中の塵埃を捕集をするフィルターを備え、前記フィルターにより捕集された塵埃を前記フィルターから除去するフィルター再生手段を備えたものであり、捕集された塵埃をフィルターから取り除き、フィルターの塵埃を捕集する捕集性能の再生ができ、使い勝手が向上するという作用を有する。
【００３３】
また、モーターの回転駆動を制御する制御部を備え、フィルター再生手段として、前記制御部により一定時間間隔で前記モータを逆回転させるものであり、一定時間間隔でフィルターに付着した埃や塵を外部に排出し、捕集された塵埃をフィルターから取り除き、フィルターの塵埃を捕集する捕集性能の再生ができ、使い勝手が向上するという作用を有する。
【００３４】
また、前記モーターの運転時間をカウントする運転時間カウント部を設け、前記制御部は前記運転時間カウント部のカウント値が所定値以上となると前記モータを逆回転させるものであり、運転時間をカウントすることでフィルターに埃と塵がある程度付着した時点で効率的に掃除運転ができる作用を有する。
【００３５】
また、前記フィルターを振動させる振動部を設け、制御部はモータを逆回転させる前に前記振動部による前記フィルターの振動を１回あるいは複数回繰り返すようにしたものであり、フィルターについた埃や塵を振動により確実に落した後外部に排出することができ使い勝手が向上するという作用を有する。
【００３６】
また、振動部によるフィルターの振動を制御部によるモーターの運転停止により行うものであり、モーターによる運転と停止の繰り返しにより、回転起動時と停止時に振動が生じ、フィルターについた埃や塵を振動により確実に落し、フィルターの塵埃捕集性能を再生することができるという作用を有する。
【００３７】
また、前記フィルターと前記換気口の間に設けられ前記換気口からの空気の流れを開閉できるシャッターを設け、制御部による前記シャッターの開閉により前記フィルターを振動させるものであり、フィルターについた埃や塵を振動により確実に落し、フィルターの塵埃捕集性能を再生することができるという作用を有する。
【００３８】
また、前記シャッターは、前記シャッターが開状態となったときに前記フィルターに前記シャッターの一部が当たるように前記フィルターと前記換気口の間に設けられるようにしたものであり、フィルターにシャッターの一部を当てることにより付着した埃や塵を確実に落すことができるという作用を有する。
【００３９】
また、前記シャッターの一部に前記シャッターが開状態となったときに前記フィルターにあたるように突起部分を設けたものであり、フィルターにシャッターの突起部を当てることにより付着した埃や塵を確実に落すという作用を有する。
【００４０】
また、前記シャッターの下部に前記シャッターが閉じていても空気を流すことのできる開口部を設けたものであり、フィルターから落ちた埃や塵を開口部から効率的に排出できるという作用を有する。
【００４１】
また、前記開口部に外部の空気が室内に入る方向に空気が流れたときには閉状態となる弁を設けたものであり、運転停止時に外風が吹き込まないという作用を有する。
【００４２】
また、フィルターにより捕集された塵埃を前記フィルターから除去するフィルターの塵埃捕集性能のフィルター再生時に、前記制御部は前記モーターの回転駆動方向を一定時間変えるとともに回転速度も変動させるものであり、フィルターに付着した埃や塵やフィルターから落ちた埃や塵をより確実に外部に排出できるという作用を有する。
【００４３】
また、前記制御部に時計機能を設け、所定の時間帯には振動部によるフィルターの振動またはフィルターの再生を行わないものであり、振動部による振動や掃除運転による音で使用者が夜の睡眠を邪魔されることがなくなるという作用を有する。
【００４４】
また、表示部を設け、フィルターにより捕集された塵埃を前記フィルターから除去する塵埃捕集性能のフィルター再生時に、前記表示部に掃除運転表示を行うものであり、使用者が一目で換気装置が掃除運転をしていることがわかるという作用を有する。
【００４５】
また、前記本体内に発音部を設け、フィルターにより捕集された塵埃を前記フィルターから除去するフィルターの塵埃捕集性能の再生時に、前記発音部を鳴動させるものとしたものであり、使用者が直ぐに換気装置が掃除運転をしていることがわかるという作用を有する。
【００４６】
また、フィルターにより捕集された塵埃を前記フィルターから除去するフィルター再生運転を所定回数以上行ったさいには、前記表示部に前記フィルターお手入れ表示を行うものとしたものであり、使用者に一目でフィルターお手入れの時期をわからせることができるという作用を有する。
【００４７】
また、フィルターにより捕集された塵埃を前記フィルターから除去するフィルター再生運転を所定回数以上行ったさいには、前記本体内に設けた前記発音部を鳴動させるものであり、使用者に直ぐにフィルターお手入れの時期をわからせることができるという作用を有する。
【００４８】
以下、本発明の実施の形態について図面を参照しながら説明する。
【００４９】
（実施の形態１）
図１および図２に示すように、換気装置３０の換気口２を設けた本体１は住宅（図示せず）の外壁２３に設けた開口２７に取り付けられている。本体１の内部には、屋外２５の空気を換気口２経由で屋内２６に取り入れるファン３を回転駆動するモーター４が取り付けられており、屋内２６側の前面には換気装置３０の見栄えをよくするための通風用スリット２２を設け内部に屋外からの空気を浄化するフィルター６を着脱自在に設けた化粧枠５が取り付けられている。換気口２からの空気の流れを開閉できるシャッター８は、シャッター８が開状態となったときに一部がフィルター６にあたるようにフィルター６と換気口２の間で本体１に取り付けられている。
【００５０】
シャッター８の下部にはシャッターが閉状態でも空気を流すことのできる開口部１０と屋外２５から屋内２６へ空気が流れるときには開口部１０を閉じるようにする弁１１が設けられている。
【００５１】
また、化粧枠５の下部には、掃除運転表示１４とお手入れ表示１６からなる表示部１３と換気装置３０の運転停止を行う運転スイッチ２８とフィルター６のお手入れが終了したときに掃除運転回数のカウントをリセットするリセットスイッチ２９が設けられている。
【００５２】
そして、本体１下部内部には、運転スイッチ２８の入力によりシャッター８の開閉を行うシャッター駆動部２０とモーター４の回転を制御するモーター駆動部２１を制御する制御部７がある。また、制御部７は運転時間をカウントするカウント部９と時刻をカウントする時計機能部１２と掃除回数カウント部３１を有しており、掃除運転時やお手入れ運転時の表示部１３への表示や発音部１７のよる鳴動の制御も行っている。
【００５３】
開口２７の屋外２５側には、住宅内への雨の侵入を防ぐフード２４が取り付けられている。
【００５４】
上記構成において、本発明の動作について図３のフローチャートにより説明する。
【００５５】
換気装置３０は、ステップ４１で商用電源を投入されることにより動作を開始する。
【００５６】
ステップ４２は、使用者が換気装置３０を運転させるか停止させるかを運転スイッチ２８により設定するステップで運転に設定されれば、制御部７はシャッター駆動部２０を制御してシャッター８を開くとともに、モーター駆動部２１も制御してモーター４をファン３が屋外２５の空気を屋内２６に取り入れるように回転駆動させる。また、停止の時にはモーター４は停止しており、シャッター８も屋外２５の空気が入ってこないように閉状態となっている。
【００５７】
ステップ４３は換気装置３０が運転状態か停止状態か判定する部分で、運転中であればステップ４５に行き制御部７のカウント部９の運転時間カウントを開始し、停止中であればステップ４４に行き制御部７のカウント部９の運転時間カウントを停止させ、ステップ４２の運転状態設定に戻る。
【００５８】
ステップ４６は、制御部７のカウント部９のカウントがＳ１以上かを判定する部分でＳ１以上であれば、ステップ４７に進み以下であればステップ４２の運転状態設定に戻る。
【００５９】
このとき設定されている掃除運転の間隔であるＳ１は通常運転でフィルター６に埃や塵がたまる日数例えば約１ヶ月である３０日ぐらいに設定される。掃除運転、すなわち、フィルター６により捕集された塵埃をフィルター６から除去するフィルターの塵埃捕集性能の再生運転の運転間隔は３０日程度であればよい。ここで、掃除運転、すなわち、フィルター再生手段としては、制御部７により３０日程度の一定時間間隔でモータ−４を逆回転させてフィルター６の塵埃捕集性能の再生を行えばよい。
【００６０】
ステップ４７は、使用者が睡眠時間中かどうかを判定する部分で睡眠中でなければステップ４８に進み、睡眠中であればステップ４２の運転状態設定に戻る。睡眠中かどうかの判定は、制御部７の時計機能部１２により行っており通常普通の人が寝る時間例えば、ＰＭ１０時からＡＭ６時を睡眠時間と設定する。
【００６１】
ステップ４８は、シャッター８による振動と掃除運転、すなわちフィルター６の塵埃捕集性能の再生運転が使用者にわかるように制御部７が発音部１７を鳴動させるとともに表示部１３の掃除運転表示１４を点灯させている。
【００６２】
ステップ４９は、掃除運転を行うために制御部７がモーター駆動部２１を制御してモーター４を停止している。
【００６３】
ステップ５０からステップ５４はシャッター８の振動によりフィルター６についた埃や塵を落とす動作であり、シャッター８のＯＦＦ時間をステップ５１で決定し、ＯＮ時間をステップ５３で決定し、ステップ５４でその繰り返し回数を決定している。このとき、シャッターのＯＮ／ＯＦＦ時間であるｔ１、ｔ２は振動を効果的にだせる短時間例えば１秒以下に設定され、繰り返し回数Ｘは１回以上、例えば、１０回が設定される。また、この動作のときシャッター８は開状態で一部、例えば、シャッター８の先端がフィルター６にあたる位置に本体に取り付けられているので効率的にフィルター６の埃や塵を落とすことができる。
【００６４】
ステップ５５、５６は掃除運転、すなわちフィルター６の塵埃捕集性能の再生運転であり、ステップ５５で制御部７はモーター駆動部２１を制御し、屋内２６から屋外２５に空気を流すようにモーター４を通常と逆にステップ５６のｔ３時間回転させる。このとき、モーターを逆に回転させる掃除運転の時間ｔ３はシャッター８の振動によりフィルター６から落ちた埃や塵が、シャッター８下部の開口部１０から屋外２５にだせる時間例えば１分以上に設定される。また、開口部１０には弁１１が屋内２６から屋外２５に空気が流れるときには開くように取り付けてあるため、掃除運転のときには開き、運転が停止してシャッター８閉じているときに屋外２５からの風があっても弁１１が閉じるため、外風が入ることはない。
【００６５】
ステップ５７は、知らせていた掃除運転表示１４の消灯と発音部１７の鳴動を停止している。
【００６６】
ステップ５８は掃除運転、すなわちフィルター６の塵埃捕集性能の再生運転を行った回数を判定している部分で、Ｙ回以上であればステップ５９に進み、以下であればステップ６３に進む。
【００６７】
このとき設定されるＹ回は、フィルター６の洗浄といったお手入れが必要となる掃除運転の回数が設定さる。例えば、Ｓ１が約１ヶ月である３０日で設定されていれば、約６ヶ月となる６回に設定される。
【００６８】
ステップ５９は、フィルター６のお手入れを使用者に知らせるステップで、お手入れ表示１６を点灯させ、発音部１７を鳴動させる。
【００６９】
ステップ６０は、換気装置３０をフィルター６のお手入れが終わるまで停止させているステップである。
【００７０】
ステップ６１は、制御部７の掃除回数カウント部３１のカウント数を化粧枠５の下部に設けたリセットスイッチ２９でリセットしたかを判定しているステップで、リセットしていればステップ６２でお手入れ表示１６を消灯し発音部１７の鳴動を停止して、ステップ６３の前の運転状態に戻り、していなければステップ６０の運転停止状態を継続する。
【００７１】
このように、制御部７の運転時間をカウントするカウント部９がカウントアップしてから、制御部７はシャッター８を開閉させて振動を発生させるとともにシャッター８の一部がフィルター６にあたるので付着した埃や塵が確実に落ち、次に制御部７がモーター駆動部２１を制御してモーター４を通常と逆に回転させてファン３による空気の流れを屋内２６から屋外２５にする掃除運転をして落ちた埃や塵を屋外２５に排出するので自動で確実にフィルター６を掃除でき使い勝手が向上する。
【００７２】
また、フィルター６の下部にシャッター８が閉じても空気を流す開口部１０と屋外２５から空気が入るときには閉じる弁１１を開口部１０に設けたことで、シャッター８を閉じた状態で効率的にフィルター６から落ちた埃や塵を外部に排出できるとともに換気装置３０が停止中のときにも屋外から外風が入らず使い勝手が向上する。
【００７３】
また、制御部７はシャッター８の開閉による振動時や掃除運転時、すなわちフィルター６の塵埃捕集性能を再生するフィルターの再生運転時には、表示部１３の掃除運転表示１４の点灯や発音部１７の鳴動により使用者に自動掃除を行っていることを知らせたり、掃除運転を何回か行いフィルターの洗浄によるお手入れが必要なときにも表示部１３の掃お手入れ表示１６の点灯や発音部１７の鳴動で使用者に知らせるので使い勝手が向上する。
【００７４】
また、制御部７の時計機能部１２により使用者が通常睡眠をとる時間帯には、シャッターによる振動や掃除運転、すなわちフィルター６の塵埃捕集性能の再生運転を行わないので、使用者が騒音により起きるということがなくなり使い勝手が向上する。
【００７５】
（実施の形態２）
実施の形態１と同一部分のものは同一番号を付して詳しい説明は省略する。
【００７６】
図４に示すように、本体１下部内部に設けられた制御部３４は、ファン３を回転駆動するモーター３７を制御するモーター駆動部３６でモーター３７の回転スピードと回転方向を制御している。また、制御部３４は、通電時間をカウントする通電時間カウント部３５を有している。
【００７７】
上記構成において、本発明の動作について図５のフローチャートにより説明する。実施の形態１と同じ動作をするステップについては同一ステップを付して詳しい説明は省略する。
【００７８】
ステップ７０は、換気装置３３に通電されている時間がＳ２以上かを判定する部分でＳ２以上であれば、ステップ４７に進み以下であればステップ４２に戻る。
【００７９】
ステップ７１からステップ７５は、モーター３７による運転と停止の繰り返しにより、回転起動時と停止時に振動が生じ、その生じた振動によりフィルター６の埃や塵を落とすステップで、ステップ７２でモーター３７の停止時間をステップ７４でモーター３７の運転時間を決定し、ステップ７５でその回数を決定している。このときモーター３７のＯＮ／ＯＦＦ時間であるｔ１、ｔ２は振動を効果的にだせる短時間例えば１秒以下に設定され、繰り返し回数Ｘは１回以上、例えば１０回が設定される。
【００８０】
ステップ７６からステップ８０は掃除運転、すなわちフィルター６の塵埃捕集性能の再生運転であり、ステップ７６でモーター３７を制御部３４がモーター駆動部３６を制御することで通常運転の逆回転の弱運転に設定し、ステップ７８で逆回転の強運転に設定している。ステップ７７とステップ７９はそれぞれ弱運転と強運転の時間を設定しており、設定時間ｔ７、ｔ８は回転により風速が変わる、例えば５から１０秒が設定される。また、ステップ８０はモーター３７の逆回転での弱、強運転の繰り返し回数Ｚを決定しており、フィルター６から落ちた埃や塵を屋外２５にだせる時間例えば１分以上になる１０回ぐらいが設定される。
【００８１】
このように、制御部３４の通電時間をカウントする通電時間カウント部３５がカウントアップしてから、制御部３４はモーター３７をＯＮ／ＯＦＦすることで振動を発生させフィルター６の埃や塵を落とし、次に制御部３４がモーター駆動部３６を制御してモーター３７を通常と逆に回転させてさらに強弱運転を繰り返すので、定期的にフィルター６の自動掃除ができ、また強弱運転による風速の変化で効率的に埃や塵を屋外２５に排出することのできるので使い勝手が向上する。
【００８２】
（実施の形態３）
実施の形態１または２と同一部分のものは同一番号を付して詳しい説明は省略する。
【００８３】
図６に示すように、換気口２からの空気の流れを開閉できるシャッター３８は、フィルター６と換気口２の間で本体１に取り付けられている。そして、シャッター３８には開状態となったときにフィルター６にあたる突起部分３９が設けられている。
【００８４】
上記構成においてシャッター３８を開閉させると突起部分３９がフィルター６にあたることとなるので付着した埃や塵が効率的に落ちることとなる。また、通常運転時のシャッター開状態においても、フィルター６にあたる部分が少なくなるので、空気抵抗が小さくなりモーター４の効率が向上する。
【００８５】
このように、効率的にフィルター６に付着した埃や塵を落とし、フィルター６の塵埃捕集性能の再生を行い、さらにモーター４の効率も向上できるので省エネルギーでかつ使い勝手が向上する。
【産業上の利用可能性】
【００８６】
簡単な構成でフィルターの自動掃除、フィルターの塵埃捕集性能の自動再生を行うことができる使い勝手のよい換気装置を提供できるので、換気装置が搭載されている設備用機器にも適用できる。
【図面の簡単な説明】
【００８７】
【図１】本発明の実施の形態１の換気装置の断面図
【図２】同換気装置の正面図
【図３】同換気装置の動作を示すフローチャート
【図４】本発明の実施の形態２の換気装置の断面図
【図５】同換気装置の動作を示すフローチャート
【図６】本発明の実施の形態３の換気装置の断面図
【図７】従来の換気装置の断面図
【符号の説明】
【００８８】
１    本体
２    換気口
３    ファン
４    モーター
５    化粧枠
６    フィルター
７    制御部
８    シャッター
９    カウント部
１０  開口部
１１  弁
１２  時計機能部
１３  表示部
１４  掃除運転表示
１６  お手入れ表示
１７  発音部
３４  制御部
３７  モーター
３８  シャッター
３９  突起部分
【図１】
2008116158.tif 000003
【図２】
2008116158.tif 000004
【図３】
2008116158.tif 000005
【図４】
2008116158.tif 000006
【図５】
2008116158.tif 000007
【図６】
2008116158.tif 000008
【図７】
2008116158.tif 000009